(57)【要約】【課題】  不必要なごみを生じさせることなく、情報記入領域が設けられた紙片に対して隠蔽片を再剥離再貼着可能としながらも、隠蔽片が剥離された場合にその痕跡を残す。【解決手段】  本体片１０の情報記入領域１１に記入された情報を隠蔽するための隠蔽片２０の、本体片１０との貼着面のうち外周部に再剥離可能及び再貼着不可能な接着構造６０を設けるとともに、貼着面のうち接着構造６０が設けられていない領域全面に再剥離再貼着可能な粘着剤４０を塗布する。【選択図】図１
2006198824.tif 000002
【特許請求の範囲】
【請求項１】
情報記入領域が設けられた本体片と、該本体片の前記情報記入領域上に貼着されることにより前記情報記入領域に記入された情報を隠蔽するための隠蔽片とを有してなる記入情報隠蔽シートであって、
前記隠蔽片は、前記本体片との貼着面のうち外周部の少なくとも一部に再剥離可能及び再貼着不可能な接着構造が設けられているとともに、前記貼着面のうち少なくとも前記接着構造が設けられていない領域全面に再剥離再貼着可能な第１の粘着剤が塗布されている記入情報隠蔽シート。
【請求項２】
請求項１に記載の記入情報隠蔽シートにおいて、
前記接着構造は、
前記貼着面のうち外周部の少なくとも一部にて前記隠蔽片のベース基材に接着されて積層された第１の紫外線硬化接着層と、
前記第１の紫外線硬化接着層上に、該第１の紫外線硬化接着層に対して剥離可能に接着されて積層された第２の紫外線硬化接着層と、
前記第２の紫外線硬化接着層上に塗布され、再剥離が不可能な第２の粘着剤とから構成されていることを特徴とする記入情報隠蔽シート。
【請求項３】
請求項１に記載の記入情報隠蔽シートにおいて、
前記接着構造は、
前記貼着面のうち外周部の少なくとも一部にて前記隠蔽片のベース基材に接着されて積層された第１の紫外線硬化接着層と、
前記第１の紫外線硬化接着層上に、該第１の紫外線硬化接着層に対して、前記第１の粘着剤による接着力よりも弱い接着力で剥離可能に接着されて積層された第２の紫外線硬化接着層とから構成され、
前記第１の粘着剤は、前記接着構造が設けられた前記貼着面の全面に塗布されていることを特徴とする記入情報隠蔽シート。
【請求項４】
請求項１乃至３のいずれか１項に記載の記入情報隠蔽シートにおいて、
前記隠蔽片は、一辺にて前記本体片と折り畳み可能に連接しており、前記外周部のうち前記本体片と連接していない領域に前記接着構造が設けられていることを特徴とする記入情報隠蔽シート。
【発明の詳細な説明】
【技術分野】
【０００１】
本発明は、情報記入領域に記入された情報を隠蔽することができる記入情報隠蔽シートに関する。
【背景技術】
【０００２】
従来より、情報を記入するための情報記入領域が設けられたはがきにおいて、情報記入領域に情報を記入した後に、この情報記入領域上に隠蔽片を剥離可能に貼着し、それにより、情報記入領域に記入された情報を隠蔽可能とするものが考えられている。
【０００３】
このようなはがきに用いられる隠蔽片としては、例えば、一方の面に再剥離再貼着が可能な粘着剤が塗布されたものが用いられ、この粘着剤によって情報記入領域上に隠蔽片が剥離可能に貼着される。このはがきを用いて情報を伝達する場合、情報記入領域に伝達したい情報を記入した後、はがき本体の情報記入領域上に隠蔽片を剥離可能に貼着し、その状態ではがきを送付先に送付する。これにより、はがきの送付途中においては、情報記入領域に記入された情報は隠蔽片によって覆われており、外部から見られてしまうことはない。また、このはがきが送付先に送付された後、はがきの送付先において隠蔽片をはがき本体から剥離すると、情報記入領域に記入された情報が視認可能となり、それにより、情報記入領域に記入された情報がはがきの送付元から送付先に伝達されることになる。
【０００４】
このように、隠蔽片をはがき本体から剥離可能に構成するために再剥離再貼着が可能な粘着剤を用いた場合、２層構造のフィルムを用いて隠蔽片を剥離可能に貼着した場合に対して、隠蔽片を剥離した後でも情報記入領域への情報の印字や記入を可能とすることができるとともに、情報記入領域に記入された情報の秘匿性を低コストで実現することができる。また、情報記入領域に記入された情報を見た後、あるいは、隠蔽片を剥離して情報記入領域に情報を印字したり記入したりした後に、はがき本体に隠蔽片を再度貼着することができる。
【０００５】
ところが、上述したように、情報記入領域に記入された情報を、再剥離再貼着が可能な粘着剤が塗布された隠蔽片を用いて隠蔽するものにおいては、情報記入領域に情報が記入されて隠蔽片が貼着された後、この情報の伝達先への送付途中にて隠蔽片が剥離され、情報記入領域に記入された情報が第三者に見られた場合であっても、情報記入領域上に隠蔽片が再度貼着されてしまうと、その痕跡を残すことができないため、情報記入領域に記入された情報の秘匿性が高いとは言い難い。
【０００６】
そこで、情報記入領域が設けられたはがき本体と隠蔽片とを再剥離再貼着可能な粘着剤によって貼着するとともに、隠蔽片の端縁部とはがき本体の相対位置とに再剥離不能な粘着剤をそれぞれ塗布し、再剥離不能な粘着剤が塗布された領域を隠蔽片から切断しないと情報記入領域に記入された情報を見ることができない構成とし、それにより、情報記入領域に記入された情報の秘匿性を高める技術が考えられている（例えば、特許文献１参照。）。
【特許文献１】特開平７−１７１６５号公報
【発明の開示】
【発明が解決しようとする課題】
【０００７】
しかしながら、上述した特許文献１に記載された技術においては、情報記入領域に記入された情報を見る場合、隠蔽片の端縁部の再剥離不能な粘着剤が塗布された領域の内側に形成された２本のミシン目によって隠蔽片から切り離し可能に構成された切り離し部を、２本のミシン目を断裁することによって切り離し、それにより、再剥離不能な粘着剤が塗布された領域を隠蔽片から切断することになるため、隠蔽片から切り離された切り離し部がごみとなり、情報記入領域に記入された情報の伝達先において不必要なごみが生じてしまうという問題点がある。
【０００８】
本発明は、上述したような従来の技術が有する問題点に鑑みてなされたものであって、不必要なごみを生じさせることなく、情報記入領域が設けられた紙片に対して隠蔽片を再剥離再貼着可能としながらも、隠蔽片が剥離された場合にその痕跡を残すことができる記入情報隠蔽シートを提供することを目的とする。
【課題を解決するための手段】
【０００９】
上記目的を達成するために本発明は、
情報記入領域が設けられた本体片と、該本体片の前記情報記入領域上に貼着されることにより前記情報記入領域に記入された情報を隠蔽するための隠蔽片とを有してなる記入情報隠蔽シートであって、
前記隠蔽片は、前記本体片との貼着面のうち外周部の少なくとも一部に再剥離可能及び再貼着不可能な接着構造が設けられているとともに、前記貼着面のうち少なくとも前記接着構造が設けられていない領域全面に再剥離再貼着可能な第１の粘着剤が塗布されている。
【００１０】
また、前記接着構造は、
前記貼着面のうち外周部の少なくとも一部にて前記隠蔽片のベース基材に接着されて積層された第１の紫外線硬化接着層と、
前記第１の紫外線硬化接着層上に、該第１の紫外線硬化接着層に対して剥離可能に接着されて積層された第２の紫外線硬化接着層と、
前記第２の紫外線硬化接着層上に塗布され、再剥離が不可能な第２の粘着剤とから構成されていることを特徴とする。
【００１１】
また、前記接着構造は、
前記貼着面のうち外周部の少なくとも一部にて前記隠蔽片のベース基材に接着されて積層された第１の紫外線硬化接着層と、
前記第１の紫外線硬化接着層上に、該第１の紫外線硬化接着層に対して、前記第１の粘着剤による接着力よりも弱い接着力で剥離可能に接着されて積層された第２の紫外線硬化接着層とから構成され、
前記第１の粘着剤は、前記接着構造が設けられた前記貼着面の全面に塗布されていることを特徴とする。
【００１２】
また、前記隠蔽片は、一辺にて前記本体片と折り畳み可能に連接しており、前記外周部のうち前記本体片と連接していない領域に前記接着構造が設けられていることを特徴とする。
【００１３】
上記のように構成された本発明においては、本体片に設けられた情報記入領域に情報が記入された後、隠蔽片に設けられた接着構造、並びに隠蔽片に塗布された再剥離再貼着可能な第１の粘着剤によって、隠蔽片が本体片の情報記入領域上に貼着されると、情報記入領域に記入された情報が隠蔽片によって外部から視認不可能な状態となる。その後、情報記入領域に記入された情報を見るために、隠蔽片が本体片から剥離されると、隠蔽片に設けられた接着構造が剥離するとともに、再剥離再貼着可能な第１の粘着剤によって本体片から隠蔽片が剥離する。その後、本体片に隠蔽片が再貼着されると、接着構造が設けられておらず、かつ、第１の粘着剤が塗布された領域については、本体片に隠蔽片が貼着されるものの、接着構造が設けられた領域については、本体片と隠蔽片とが貼着されず、それにより、隠蔽片が本体片から剥離された痕跡が残る。
【発明の効果】
【００１４】
本発明は以上説明したように構成されているので、本体片から隠蔽片が剥離された後、本体片に隠蔽片が再貼着された場合、接着構造が設けられておらず、かつ、第１の粘着剤が塗布された領域については、本体片に隠蔽片が貼着されるものの、接着構造が設けられた領域については、本体片と隠蔽片とが貼着されないことになり、それにより、不必要なごみを生じさせることなく、情報記入領域が設けられた本体片に対して隠蔽片を再剥離再貼着可能としながらも、隠蔽片が剥離された場合にその痕跡を残すことができる。
【発明を実施するための最良の形態】
【００１５】
以下に、本発明の実施の形態について図面を参照して説明する。
【００１６】
（第１の実施の形態）
図１は、本発明の記入情報隠蔽シートの第１の実施の形態を示す図であり、（ａ）は表面から見た図、（ｂ）は（ａ）に示したＡ−Ａ’断面図、（ｃ）は（ａ）に示した隠蔽片２０から剥離紙７０を剥離した状態を示す図である。
【００１７】
本形態は図１に示すように、情報記入領域１１が設けられた本体片１０と、折り部となる折り線３０を介して本体片１０に折り畳み可能に連接し、本体片１０に貼着されることにより、情報記入領域１１に記入された情報を隠蔽するための隠蔽片２０とから構成されている。なお、折り線３０においては、ベース基材５０上にハーフカットや版押し等によって形成することが考えられ、また、折り部として折り線３０ではなくベース基材５０上にミシン目を形成してもよい。
【００１８】
本体片１０は、ベース基材５０の折り線３０を介して折り畳まれた場合に隠蔽片２０と対向する面に情報を記入するための情報記入領域１１が設けられている。
【００１９】
隠蔽片２０は、ベース基材５０の折り線３０を介して折り畳まれた場合に本体片１０と対向する面、すなわち本体片１０との貼着面のうち、折り線３０を除く外周部に再剥離可能及び再貼着不可能な接着構造６０が設けられているとともに、本体片１０との貼着面のうち接着構造６０が設けられていない領域に再剥離再貼着が可能な第１の粘着剤４０が塗布されており、この接着構造６０及び粘着剤４０上に、シリコン等の剥離剤が塗布された剥離紙７０が剥離可能に貼着されている。なお、隠蔽片２０に塗布された粘着剤４０としては、例えば、アクリル酸エステル共重合物と水とからなるアクリル系エマルジョン型粘着剤等を用いることが考えられるが、再剥離再貼着が可能なものであればこれに限らない。
【００２０】
また、隠蔽片２０に設けられた接着構造６０は、ベース基材５０の本体片１０との貼着面のうち、折り線３０を除く外周部に接着状態で積層された第１の紫外線硬化接着層６１と、紫外線硬化接着層６１上に、紫外線硬化接着層６１に対して剥離可能に接着されて積層された第２の紫外線硬化接着層６２と、紫外線硬化接着層６２上に塗布され、再剥離が不可能な第２の粘着剤６３とから構成されている。これら紫外線硬化接着層６１，６２は、紫外線光の照射により硬化乾燥するものであって、層間における不完全溶着によって互いに再剥離可能及び再貼着不可能に貼着されている。例えば、紫外線硬化接着層６１，６２のいずれか一方を紫外線照射による不完全硬化乾燥状態としておき、その状態において他方の層を塗布積層し、その後、紫外線硬化接着層６１，６２を紫外線照射により完全硬化乾燥することによりこれらを互いに貼着することや、紫外線硬化接着層６１，６２をそれぞれ別々に紫外線硬化乾燥した後にこれらを互いに重ね合わせ、加熱して不完全溶融状態としながら紫外線硬化接着層６１，６２を加圧することによりこれらを互いに貼着すること等が考えられる。また、紫外線硬化接着層６１，６２のうち、一方に、熱可塑性樹脂を主成分とする紫外線硬化型樹脂材料からなるものを使用し、他方に、熱可塑性樹脂に対して親和性のない熱硬化性樹脂を主成分とする紫外線硬化型樹脂材料からなるものを使用することによりこれらを互いに貼着することも考えられる。また、紫外線硬化接着層６１，６２のうち、一方に、熱可塑性樹脂を主成分とする紫外線硬化型樹脂材料からなるものを使用し、他方に、その樹脂材料に対して親和性の低い熱可塑性樹脂を主成分とする紫外線硬化型樹脂材料からなるものを使用することによりこれらを互いに貼着することも考えられ、例えば、一方の紫外線硬化型樹脂材料としてアクリル系樹脂を使用した場合は、他方にポリエチレンテレフタレート樹脂、またはポリオレフィン系樹脂（ポリエチレン、ポリプロピレン）を主成分とする紫外線硬化型樹脂材料を使用することが考えられる。また、上記同様に、紫外線硬化接着層６１，６２のうち、一方に、熱可塑性樹脂を主成分とする紫外線硬化型樹脂材料を使用し、他方に、その樹脂材料に対して親和性の低い熱可塑性樹脂を主成分とする紫外線硬化型樹脂材料を使用するとともに、これらのうち、いずれか一方の層を紫外線照射して完全硬化し、硬化した層上に他方の層を塗布して紫外線照射にて完全硬化することによりこれらを互いに貼着することも考えられる。
【００２１】
ここで、紫外線硬化接着層６１，６２の具体例について説明する。
【００２２】
紫外線硬化接着層６１はニス剤から構成され、下記のようなものが考えられる。
【００２３】
組成：プレポリマー；ウレタン樹脂（またはポリエステル樹脂、エポキシ樹脂）
モノマー：アクリル酸エステル
添加剤：光重合開始剤
光重合抑制剤
剥離剤（シリコン樹脂）
具体例：ベストキュアーハクリＯＰニスＵＰ２；（株）Ｔ＆Ｋ ＴＯＫＡ製，バーニッシュ８０６９１９Ｍ；ＳＩＣＰＡ社製
また、紫外線硬化接着層６２は高反応性感光性樹脂等からなり、下記のようなものが考えられる。
【００２４】
プレポリマー：ウレタン樹脂（又はポリエステル樹脂、エポキシ樹脂）
モノマー：アクリル酸エステル
添加剤：光重合開始剤
具体例：ベストキュアーＮｏ．５ＬカートンメジウムＧＷ；（株）Ｔ＆Ｋ ＴＯＫＡ製，ベストキュアー１６１メジウムＳ；（株）Ｔ＆Ｋ ＴＯＫＡ製，ＵＶＦＩＬ０００メジウム；帝国インキ製造（株）製，ＴＵ２９９ＦＤＲＳメジウム；東洋インキ製造（株）製
以下に、上述した記入情報隠蔽シート１の使用方法について説明する。
【００２５】
図２及び図３は、図１に示した記入情報隠蔽シート１の使用方法を説明するための図であり、図２は、記入情報隠蔽シート１を断面方向から見た図、図３は、記入情報隠蔽シート１を情報記入領域１１側から見た図である。
【００２６】
まず、本体片１０に設けられた情報記入領域１１に、隠蔽すべき情報１２を印字あるいは記入した後、隠蔽片２０から剥離紙７０を剥離し（図２（ａ），図３（ａ））、本体片１０と隠蔽片２０とを、情報記入領域１１が内面となるように折り線３０を介して折り畳み、隠蔽片２０に設けられた接着構造６０を構成する粘着剤６３、並びに隠蔽片２０に塗布された再剥離再貼着可能な粘着剤４０によって互いに貼着する（図２（ｂ），図３（ｂ））。
【００２７】
そして、この状態で、情報記入領域１１に記入あるいは印字された情報１２の伝達先に、この記入情報隠蔽シート１を送付する。この際、情報記入領域１１に記入あるいは印字された情報１２は、隠蔽片２０によって覆われているため、外部から視認不可能となっている。
【００２８】
その後、隠蔽片２０が本体片１０から剥離されると、情報記入領域１１に記入あるいは印字された情報１２が視認可能となる。この際、接着構造６０が設けられた領域においては、粘着剤６３が剥離不可能なものであって、かつ、紫外線硬化接着層６１，６２が互いに再剥離可能に接着されているため、紫外線硬化接着層６１，６２が互いに剥離することになる。そのため、紫外線硬化接着層６２が粘着剤６３とともに本体片１０に残存し、紫外線硬化接着層６１が隠蔽片２０とともに本体片２０から離反した状態となる。また、他の領域においては、粘着剤４０が隠蔽片２０とともに本体片１０から剥離する（図２（ｃ），図３（ｃ））。
【００２９】
記入情報隠蔽シート１の送付先においては、このようにして隠蔽片２０を本体片１０から剥離することにより、本体片１０の情報記入領域１１に記入あるいは印字された情報１２を認識することができ、また、その後、本体片１０に情報を印字あるいは記入し、粘着剤４０によって本体片１０と隠蔽片２０とを貼着することができる。本体片１０と隠蔽片２０とが貼着された状態においては、情報記入領域１１に記入あるいは印字された情報が隠蔽片２０によって覆われているため、情報記入領域１１に記入あるいは印字された情報を外部から視認不可能な状態で保管することができる。
【００３０】
その後、本体片１０と隠蔽片２０とを、情報記入領域１１が内面となるように折り線３０を介して折り畳むと、隠蔽片２０に塗布された粘着剤４０が再貼着可能なものであるため、粘着剤４０が塗布された領域については、本体片１０と隠蔽片２０とが再び貼着される。また、隠蔽片２０に設けられた接着構造６０は、この接着構造６０を構成する紫外線硬化接着層６１，６２が互いに剥離されており、これらは再貼着不可能に接着されていたため、接着構造６０が設けられた領域については、本体片１０と隠蔽片２０とを再び貼着することができない（図２（ｄ））。
【００３１】
このように、本体片１０と隠蔽片２０とを貼着した後に剥離すると、隠蔽片２０に設けられた接着構造６０を構成する紫外線硬化接着層６１，６２が再貼着不可能に互いに剥離するため、その後、本体片１０と隠蔽片２０とを再び貼着しようとしても、接着構造６０が設けられた領域については再貼着することができず、それにより、記入情報隠蔽シート１の送付先においては、接着構造６０を構成する紫外線硬化接着層６１，６２が互いに接着されているかどうかによって、記入情報隠蔽シート１の送付途中にて本体片１０から隠蔽片２０が剥離されたかどうかを認識することができる。また、紫外線硬化接着層６１，６２に銀粉等を含有させておけば、紫外線硬化接着層６１，６２が互いに剥離された場合に、本体片１０と隠蔽片２０とのそれぞれに銀粉が付着することになり、それにより、本体片１０と隠蔽片２０とが剥離されたことをさらにわかりやすくすることができる。
【００３２】
（第２の実施の形態）
図４は、本発明の記入情報隠蔽シートの第２の実施の形態を示す図であり、（ａ）は表面から見た図、（ｂ）は（ａ）に示したＡ−Ａ’断面図、（ｃ）は（ａ）に示した隠蔽片１２０から剥離紙１７０を剥離した状態を示す図である。
【００３３】
本形態は図４に示すように、情報記入領域１１１が設けられた本体片１１０と、折り部となる折り線１３０を介して本体片１１０に折り畳み可能に連接し、本体片１１０に貼着されることにより、情報記入領域１１１に記入された情報を隠蔽するための隠蔽片１２０とから構成されている。なお、折り線１３０においては、ベース基材１５０上にハーフカットや版押し等によって形成することが考えられ、また、折り部として折り線１３０ではなくベース基材１５０上にミシン目を形成してもよい。
【００３４】
本体片１１０は、ベース基材１５０の折り線１３０を介して折り畳まれた場合に隠蔽片１２０と対向する面に情報を記入するための情報記入領域１１１が設けられている。
【００３５】
隠蔽片１２０は、ベース基材１５０の折り線１３０を介して折り畳まれた場合に本体片１１０と対向する面、すなわち本体片１１０との貼着面のうち、折り線１３０を除く外周部に再剥離可能及び再貼着不可能な接着構造１６０が設けられているとともに、接着構造１６０が設けられた面の全面に再剥離再貼着が可能な第１の粘着剤１４０が塗布されており、この粘着剤１４０上に、シリコン等の剥離剤が塗布された剥離紙１７０が剥離可能に貼着されている。なお、隠蔽片１２０に塗布された粘着剤１４０としては、例えば、アクリル酸エステル共重合物と水とからなるアクリル系エマルジョン型粘着剤等を用いることが考えられるが、再剥離再貼着が可能なものであればこれに限らない。
【００３６】
また、隠蔽片１２０に設けられた接着構造１６０は、ベース基材１５０の本体片１１０との貼着面のうち、折り線１３０を除く外周部に接着状態で積層された第１の紫外線硬化接着層１６１と、紫外線硬化接着層１６１上に、紫外線硬化接着層１６１に対して剥離可能に接着されて積層された第２の紫外線硬化接着層１６２とから構成されている。これら紫外線硬化接着層１６１，１６２は、紫外線光の照射により硬化乾燥するものであって、層間における不完全溶着によって互いに再剥離可能及び再貼着不可能に貼着されている。なお、紫外線硬化接着層１６１，１６２の材料や構成、並びにそれらの貼着方法については、第１の実施の形態にて説明したものと同様であるが、紫外線硬化接着層１６１，１６２の接着力は、粘着剤１４０の接着力よりも弱くなっている。
【００３７】
以下に、上述した記入情報隠蔽シート１０１の使用方法について説明する。
【００３８】
図５及び図６は、図４に示した記入情報隠蔽シート１０１の使用方法を説明するための図であり、図５は、記入情報隠蔽シート１０１を断面方向から見た図、図６は、記入情報隠蔽シート１０１を情報記入領域１１１側から見た図である。
【００３９】
まず、本体片１１０に設けられた情報記入領域１１１に、隠蔽すべき情報１１２を印字あるいは記入した後、隠蔽片１２０から剥離紙１７０を剥離し（図５（ａ），図６（ａ））、本体片１１０と隠蔽片１２０とを、情報記入領域１１１が内面となるように折り線１３０を介して折り畳み、隠蔽片１２０に塗布された再剥離再貼着可能な粘着剤１４０によって互いに貼着する（図５（ｂ），図６（ｂ））。
【００４０】
そして、この状態で、情報記入領域１１１に記入あるいは印字された情報１１２の伝達先に、この記入情報隠蔽シート１０１を送付する。この際、情報記入領域１１１に記入あるいは印字された情報１１２は、隠蔽片１２０によって覆われているため、外部から視認不可能となっている。
【００４１】
その後、隠蔽片１２０が本体片１１０から剥離されると、情報記入領域１１１に記入あるいは印字された情報１１２が視認可能となる。この際、接着構造１６０が設けられた領域においては、紫外線硬化接着層１６１，１６２の接着力が粘着剤１４０の接着力よりも弱いため、紫外線硬化接着層１６１，１６２と本体片１１０とが剥離するのではなく、紫外線硬化接着層１６１，１６２が互いに剥離する。そのため、紫外線硬化接着層１６２が粘着剤１４０とともに本体片１１０に残存し、紫外線硬化接着層１６１が隠蔽片１２０とともに本体片１２０から離反した状態となる。また、他の領域においては、粘着剤１４０が隠蔽片１２０とともに本体片１１０から剥離する（図５（ｃ），図６（ｃ））。
【００４２】
記入情報隠蔽シート１０１の送付先においては、このようにして隠蔽片１２０を本体片１１０から剥離することにより、本体片１１０の情報記入領域１１１に記入あるいは印字された情報１１２を認識することができ、また、その後、本体片１１０に情報を印字あるいは記入し、粘着剤１４０によって本体片１１０と隠蔽片１２０とを貼着することができる。本体片１１０と隠蔽片１２０とが貼着された状態においては、情報記入領域１１１に記入あるいは印字された情報が隠蔽片１２０によって覆われているため、情報記入領域１１１に記入あるいは印字された情報を外部から視認不可能な状態で保管することができる。
【００４３】
その後、本体片１１０と隠蔽片１２０とを、情報記入領域１１１が内面となるように折り線１３０を介して折り畳むと、隠蔽片１２０に塗布された粘着剤１４０が再貼着可能なものであるため、粘着剤１４０が塗布された領域については、本体片１１０と隠蔽片１２０とが再び貼着される。また、隠蔽片１２０に設けられた接着構造１６０は、この接着構造１６０を構成する紫外線硬化接着層１６１，１６２が互いに剥離されており、これらは再貼着不可能に接着されていたため、接着構造１６０が設けられた領域については、本体片１１０と隠蔽片１２０とを再び貼着することができない（図５（ｄ））。
【００４４】
このように、本体片１１０と隠蔽片１２０とを貼着した後に剥離すると、隠蔽片１２０に設けられた接着構造１６０を構成する紫外線硬化接着層１６１，１６２が再貼着不可能に互いに剥離するため、その後、本体片１１０と隠蔽片１２０とを再び貼着しようとしても、接着構造１６０が設けられた領域については再貼着することができず、それにより、記入情報隠蔽シート１０１の送付先においては、接着構造１６０を構成する紫外線硬化接着層１６１，１６２が互いに接着されているかどうかによって、記入情報隠蔽シート１０１の送付途中にて本体片１１０から隠蔽片１２０が剥離されたかどうかを認識することができる。また、紫外線硬化接着層１６１，１６２に銀粉等を含有させておけば、紫外線硬化接着層１６１，１６２が互いに剥離された場合に、本体片１１０と隠蔽片１２０とのそれぞれに銀粉が付着することになり、それにより、本体片１１０と隠蔽片１２０とが剥離されたことをさらにわかりやすくすることができる。
【００４５】
本形態においては、隠蔽片１２０の本体片１１０との貼着面に接着構造１６０を設け、その接着構造１６０が設けられた面の全面に粘着剤１４０が塗布され、この粘着剤１４０によって本体片１１０と隠蔽片１２０とが貼着されるため、第１の実施の形態に示したものと比べて、本体片と隠蔽片とを貼着するために２種類の粘着剤を用いる必要がなく、それにより、２種類の粘着剤の塗布領域に隙間が生じないように位置合わせを行う必要がなくなる。
【００４６】
なお、上述した２つの実施の形態においては、ベース基材５０，１５０の隠蔽片２０，１２０となる領域上に紫外線硬化接着層６１，１６１が直接積層されているが、ベース基材５０，１５０と紫外線硬化接着層６１，１６１との間に目止め層を介在させることも考えられる。この目止め層は、紫外線硬化接着層６１，１６１を構成するニス剤がベース基材５０，１５０に染み込むことを防止するものであって、例えば、アクリル酸エステル共重合物やポリビニールアルコール、界面活性剤等を混合したものを用いることが考えられる。
【００４７】
また、上述した２つの実施の形態においては、隠蔽片２０，１２０の本体片１０，１１０との貼着面のうち、折り線３０，１３０を除く外周部に接着構造６０，１６０が設けられているが、隠蔽片２０，１２０の本体片１０，１１０との貼着面のうち、折り線３０，１３０を除く外周部の少なくとも一部に接着構造６０，１６０が設けられていればよい。特に、隠蔽片２０，１２０の角部に接着構造６０，１６０を設けておくことが好ましい。
【００４８】
また、上述した２つの実施の形態においては、本体片１０，１１０と隠蔽片２０，１２０とが折り線３０，１３０を介して折り畳み可能に連接しているが、本体片と隠蔽片とが別体として構成されたものとすることも考えられる。
【図面の簡単な説明】
【００４９】
【図１】本発明の記入情報隠蔽シートの第１の実施の形態を示す図であり、（ａ）は表面から見た図、（ｂ）は（ａ）に示したＡ−Ａ’断面図、（ｃ）は（ａ）に示した隠蔽片から剥離紙を剥離した状態を示す図である。
【図２】図１に示した記入情報隠蔽シートの使用方法を説明するための図である。
【図３】図１に示した記入情報隠蔽シートの使用方法を説明するための図である。
【図４】本発明の記入情報隠蔽シートの第２の実施の形態を示す図であり、（ａ）は表面から見た図、（ｂ）は（ａ）に示したＡ−Ａ’断面図、（ｃ）は（ａ）に示した隠蔽片から剥離紙を剥離した状態を示す図である。
【図５】図４に示した記入情報隠蔽シートの使用方法を説明するための図である。
【図６】図５に示した記入情報隠蔽シートの使用方法を説明するための図である。
【符号の説明】
【００５０】
１，１０１    記入情報隠蔽シート
１０，１１０    本体片
１１，１１１    情報記入領域
１２，１１２    情報
２０，１２０    隠蔽片
３０，１３０    折り線
４０，６３，１４０    粘着剤
５０，１５０    ベース基材
６０，１６０    接着構造
６１，６２，１６１，１６２    紫外線硬化接着層
７０，１７０    剥離紙
【図１】
2006198824.tif 000003
【図２】
2006198824.tif 000004
【図３】
2006198824.tif 000005
【図４】
2006198824.tif 000006
【図５】
2006198824.tif 000007
【図６】
2006198824.tif 000008